(57)【特許請求の範囲】
【請求項１】
横内方突出片部を一体的に有していると共に当該横内方突出片部に弾性のシール部材が取り付けられた竪枠を具備した窓枠に、この窓枠に回動自在に支持されていると共に、障子の閉鎖状態では、堅枠の横内方突出片部に対面して、障子の閉鎖方向の回動を規制する横外方突出片部を一体的に有した竪框を具備していると共に障子の閉鎖状態では横外方突出片部がシール部材に当接するようになっている障子框を仮止めして障子の開放状態への回動を防止する開放防止装置であって、竪枠の横内方突出片部を横方向に摺動自在に受容する第一の凹所を規定する二股部と、この二股部に一体的に形成されていると共に、竪框の横外方突出片部を横方向に摺動自在に受容する第二の凹所を二股部と協働して規定する前方突出部と、二股部に一体的に形成された操作用の後方突出部と、二股部に一体的に形成されていると共に横方向の移動において竪框の突起に当接するようになっている位置確認用突出部とを有しており、障子の閉鎖状態では、第一の凹所が竪枠の横内方突出片部を受容すると共に、第二の凹所が竪框の横外方突出片部を受容する横方向の第一の位置と、第二の凹所による竪框の横外方突出片部の受容が解除される一方、第一の凹所による竪枠の横内方突出片部の受容が維持される横方向の第二の位置との間を後方突出部の横方向の移動により横方向に移動できるようになっており、障子の開放状態では、第一の凹所による竪枠の横内方突出片部の受容を解除できて、竪枠の横内方突出片部から取り外せるようになっており、第一の凹所は、竪枠の横内方突出片部と共にシール部材をもこれを圧縮しながら横方向に摺動自在に受容するようになっている障子の開放防止装置。
【請求項２】
障子は外倒し窓又は突出し窓用である請求項１に記載の障子の開放防止装置。
【請求項３】
下方突出片部を一体的に有していると共に当該下方突出片部に弾性のシール部材が取り付けられた上枠を具備した窓枠に、この窓枠に回動自在に支持されていると共に、障子の閉鎖状態では上枠の下方突出片部に対面し、障子の閉鎖方向の回動を規制する上方突出片部を一体的に有した上框を具備していると共に障子の閉鎖状態では上方突出片部がシール部材に当接するようになっている障子框を仮止めして障子の開放状態への移行を防止する開放防止装置であって、上枠の下方突出片部を上下方向に摺動自在に受容する第一の凹所を規定する二股部と、この二股部に一体的に形成されていると共に、上框の上方突出片部を受容する第二の凹所を二股部と協働して規定する後方突出部とを有しており、障子の閉鎖状態では、第一の凹所が上枠の下方突出片部を受容すると共に、第二の凹所が上框の上方突出片部を受容するようになっており、障子の開放状態では、第一の凹所による上枠の下方突出片部の受容を解除できて、上枠の下方突出片部から取り外せるようになっており、後方突出部は、その撓み変形により第二の凹所への上框の上方突出片部の受容を可能とするようになっており、第一の凹所は、上枠の下方突出片部と共にシール部材をもこれを圧縮しながら上下方向に摺動自在に受容するようになっており、後方突出部は、障子の開放状態から閉鎖状態への回動において、上框の上方突出片部の上端が当接する案内面を有しており、案内面への上方突出片部の上端の当接により撓み変形を生じるようになっている障子の開放防止装置。
【請求項４】
後方突出部は、手動により撓み変形するようになっている請求項３に記載の障子の開放防止装置。
【請求項５】
障子は内倒し窓用である請求項３又は４に記載の障子の開放防止装置。
【請求項６】
請求項１又は２に記載の障子の開放防止装置によって障子の開放状態への回動が防止された窓枠と障子框との組み合わせ体。
【請求項７】
請求項３から５のいずれか一項に記載の障子の開放防止装置によって障子の開放状態への回動が防止された窓枠と障子框との組み合わせ体。
【発明の詳細な説明】
【０００１】
【発明の属する技術分野】
本発明は、窓枠に障子框を仮止めして障子の開放状態への回動を一時的に防止する開放防止装置に関する。
【０００２】
【発明が解決しようとする課題】
外倒し窓、突出し窓及び内倒し窓は、最近では施工現場での作業効率の向上のために、工場において窓枠と障子框とが組み合わされて出荷され、施工現場でこの組み合わせ体が躯体に取り付けられると共に、障子框にガラス板が嵌め込まれて製作されるようになっている。
【０００３】
ところで、組み合わせ体の工場から施工現場への運搬においてその損傷を防止するために、また、施工現場でのガラス板の障子框への嵌め込み及び組み合わせ体の躯体への取り付けにおいてその施工を容易にするために、窓枠に回動自在に取り付けられた障子框を窓枠に仮止めして障子の開放状態への回動を一時的に防止するが、斯かる開放防止のための開放防止装置（開放防止具）は、従来種々提案されているが、提案のいずれの開放防止装置も、それ自体の組み合わせ体への取り付け、取り外しに工具、治具等を用いる必要があり、また、その仮止め状態を安定に得ることが困難である。
【０００４】
加えて、提案の開放防止装置は、主に、窓枠の上枠と障子框の上框との間に取り付けられるものであるから、大型の窓等ではその取り付け、取り外し作業が比較的困難となる。
【０００５】
本発明は、前記諸点に鑑みてなされたものであって、その目的とするところは、仮止め状態を安定に得ることができて、障子の開放状態への回動を一時的に確実に防止でき、しかも、窓枠と障子框との組み合わせ体に対して容易に取り付け、取り外しを行い得る障子の開放防止装置を提供することにある。
【０００６】
【課題を解決するための手段】
本発明の第一の態様の障子の開放防止装置は、横内方突出片部を一体的に有した竪枠を具備した窓枠に、この窓枠に回動自在に支持されていると共に、障子の閉鎖状態では、堅枠の横内方突出片部に対面して、障子の閉鎖方向の回動を規制する横外方突出片部を一体的に有した竪框を具備した障子框を仮止めして障子の開放状態への回動を防止するようになっており、竪枠の横内方突出片部を横方向に摺動自在に受容する第一の凹所を規定する二股部と、この二股部に一体的に形成されていると共に、竪框の横外方突出片部を横方向に摺動自在に受容する第二の凹所を二股部と協働して規定する前方突出部とを有しており、障子の閉鎖状態では、第一の凹所が竪枠の横内方突出片部を受容すると共に、第二の凹所が竪框の横外方突出片部を受容する横方向の第一の位置と、第二の凹所による竪框の横外方突出片部の受容が解除される一方、第一の凹所による竪枠の横内方突出片部の受容が維持される横方向の第二の位置との間を横方向に移動できるようになっており、障子の開放状態では、第一の凹所による竪枠の横内方突出片部の受容を解除できて、竪枠の横内方突出片部から取り外せるようになっている。
【０００７】
第一の態様の開放防止装置では、障子が閉鎖されている状態において、第一の位置では、第一の凹所が竪枠の横内方突出片部を受容すると共に、第二の凹所が竪框の横外方突出片部を受容するようになっているために、仮止め状態を安定に得ることができて、障子の開放状態への回動を一時的に確実に防止でき、しかも、障子の閉鎖状態で、第一の位置と第二の位置との間を横方向に移動できるようになっていると共に、障子の開放状態では、第一の凹所による竪枠の横内方突出片部の受容を解除できて、竪枠の横内方突出片部から取り外せるようになっているために、窓枠と障子框との組み合わせ体に対して容易に取り付け、取り外しを行い得る。
【０００８】
本発明の第二の態様の障子の開放防止装置では、第一の態様の開放防止装置において、竪枠の横内方突出片部に弾性のシール部材が取り付けられている窓枠に、障子の閉鎖状態では堅框の横外方突出片部がシール部材に当接するようになっている障子框を仮止めするようになっており、二股部は、竪枠の横内方突出片部と共にシール部材をもこれを圧縮しながら横方向に摺動自在に受容する第一の凹所を規定している。
【０００９】
第二の態様の開放防止装置によれば、二股部は、第一の凹所でシール部材を圧縮しながら横方向に摺動自在に受容するために、シール部材の弾性により受容状態を更に確実に維持でき、仮止め状態を更に安定に得ることができる。
【００１０】
本発明の第三の態様の障子の開放防止装置では、第一又は第二の態様の開放防止装置において、二股部に一体的に形成された操作用の後方突出部を更に具備しており、障子の閉鎖状態で後方突出部を横方向に移動することにより第一及び第二の位置に配することができるようになっている。
【００１１】
第三の態様の開放防止装置によれば、操作用の後方突出部を更に具備しているために、工場で作業者が開放防止装置を第二の位置に配して障子を閉鎖状態にした後に、後方突出部を操作して第二の位置から第一の位置に移動させることにより又は施工現場で、後方突出部を操作して第一の位置から第二の位置に移動させることにより、工具などを用いることなしに容易に仮止め状態にできると共に仮止め状態を解除できる。
【００１２】
本発明の第四の態様の障子の開放防止装置では、第一から第三のいずれかの態様の開放防止装置において、障子は外倒し窓又は突出し窓用である。
【００１３】
第一から第三のいずれかの態様の開放防止装置は、第四の態様の開放防止装置のように、好ましくは、外倒し窓又は突出し窓用の障子にその開放状態への回動を防止するために用いることができ、斯かる障子において、左右の竪枠及び竪框の夫々の間に夫々少なくとも一個設けるのが好ましいが、横幅がそれ程ない障子では、場合により、左右の竪枠及び竪框の夫々の間のいずれか一方のみに設けてもよい。
【００１４】
本発明の第五の態様の障子の開放防止装置は、下方突出片部を一体的に有した上枠を具備した窓枠に、この窓枠に回動自在に支持されていると共に、障子の閉鎖状態では上枠の下方突出片部に対面し、障子の閉鎖方向の回動を規制する上方突出片部を一体的に有した上框を具備した障子框を仮止めして障子の開放状態への移行を防止するようになっており、上枠の下方突出片部を上下方向に摺動自在に受容する第一の凹所を規定する二股部と、この二股部に一体的に形成されていると共に、上框の上方突出片部を受容する第二の凹所を二股部と協働して規定する後方突出部とを有しており、障子の閉鎖状態では、第一の凹所が上枠の下方突出片部を受容すると共に、第二の凹所が上框の上方突出片部を受容するようになっており、障子の開放状態では、第一の凹所による上枠の下方突出片部の受容を解除できて、上枠の下方突出片部から取り外せるようになっており、ここで、後方突出部は、その撓み変形により第二の凹所への上框の上方突出片部の受容を可能とするようになっている。
【００１５】
第五の態様の開放防止装置によれば、障子が閉鎖されている状態において、第一の凹所が上枠の下方突出片部を受容すると共に、第二の凹所が上框の上方突出片部を受容するようになっているために、仮止め状態を安定に得ることができて、障子の開放状態への回動を一時的に確実に防止でき、しかも、後方突出部が、その撓み変形により第二の凹所への上方突出片部の受容を可能とするようになっているために、スナップフィット式に容易に障子框を仮止め状態にもたらすことができる。
【００１６】
本発明の第六の態様の障子の開放防止装置では、第五の態様の開放防止装置において、上枠の下方突出片部に弾性のシール部材が取り付けられている窓枠に、障子の閉鎖状態では障子框の上方突出片部がシール部材に当接するようになっている障子框を仮止めするようになっており、二股部は、上枠の下方突出片部と共にシール部材をもこれを圧縮しながら上下方向に摺動自在に受容する第一の凹所を規定している。
【００１７】
第六の態様の開放防止装置によれば、二股部は、第一の凹所でシール部材を圧縮しながら上下方向に摺動自在に受容するために、障子の閉鎖前でも、シール部材の弾性により上枠の下方突出片部の受容状態を確実に維持できる結果、障子の閉鎖前において治具等を用いて下方突出片部に開放防止装置を保持する必要がなく、仮止め作業を容易に行い得る。
【００１８】
本発明の第七の態様の障子の開放防止装置では、第五又は第六の態様の開放防止装置において、後方突出部は、障子の開放状態から閉鎖状態への回動において、上框の上方突出片部が当接する案内面を有しており、案内面への上方突出片部の当接により撓み変形を生じるようになっている。
【００１９】
第七の態様の開放防止装置によれば、案内面を介して第二の凹所への上框の上方突出片部の受容が案内されるために、上記のスナップフィット式の障子框の仮止め状態への移行を更に容易に行わせることができ、障子の閉鎖前に下方突出片部に開放防止装置を取り付けて、その後に障子を閉鎖させるだけで、障子框の仮止め状態を得ることができ、工場での仮止め作業が極めて簡単となる。
【００２０】
本発明の第八の態様の障子の開放防止装置では、第五から第七のいずれかの態様の開放防止装置において、後方突出部は、手動により撓み変形するようになっている。
【００２１】
第八の態様の開放防止装置によれば、後方突出部の手動による撓み変形が可能であるために、現場での全ての施工作業の終了後に、後方突出部を手動で変形させるだけで、上框の上方突出片部を第二の凹所から抜け出せるようにでき、而して、特別な治具等を用いることなしに、仮止めの解除を容易にできる。
【００２２】
第五から第八のいずれかの態様の開放防止装置は、第九の態様の開放防止装置のように、好ましくは、内倒し窓用の障子にその開放状態への回動を防止するために用いることができ、斯かる障子において、上枠の中央と上框の中央との間に一個設けるのが好ましいが、横幅がある障子では、場合により、上枠の左右と上框の左右との夫々の間に一個、合計二個設けてもよい。なお、安全を考慮する場合には、より多くの個数の開放防止装置を上枠と上框との間に設けてもよい。
【００２３】
本発明の開放防止装置は、合成樹脂製の一体成形品からなるものが、軽量、低コスト、窓枠及び障子框への損傷防止等の観点から好ましいが、必ずしもこれに限定されず、アルミ等の金属製又は木製等の一体成形物であってもよい。
【００２４】
【発明の実施の形態】
次に本発明の実施の形態を、図に示す好ましい例に基づいて更に詳細に説明する。なお、本発明はこれら例に何等限定されないのである。
【００２５】
図１から図５において、本例の障子１の開放防止装置２は、横内方突出片部３を一体的に有した竪枠４を具備した窓枠５に、当該窓枠５に軸心６を中心としてＲ方向に回動自在に支持されていると共に、障子１の閉鎖状態（図１、図４及び図５に示す状態）では、窓枠５の横内方突出片部３に対面して、障子１の閉鎖方向の回動を規制する横外方突出片部７を一体的に有した竪框８を具備した障子框９を仮止めして障子１の開放状態への回動を防止するようになっている。
【００２６】
窓枠５は、右側の竪枠４に加えて、左側の竪枠１１と、上下枠１２及び１３とを具備しており、障子框９は、右側の竪框８に加えて、左側の竪框１５と、上下框１６及び１７とを具備しており、障子框９及び障子框９に嵌め込まれるガラス板を有する障子１は、その開放状態では上框１６並びに竪框８及び１５の上方が外側（前方である屋外側）１８に張り出すように、竪框８及び１５の下方で窓枠５に軸心６を中心としてＲ方向に回動自在に支持されている外倒し窓用のものである。
【００２７】
本例では、開放防止装置２は、右側の竪枠４と竪框８との間及び左側の竪枠１１と竪框１５との間の夫々に一個毎用いられているが、これら左右の開放防止装置２は、互いに同一に構成されているので、以下、右側の開放防止装置２について詳述する。
【００２８】
横内方突出片部３には、弾性のシール部材１９が嵌着されて取り付けられており、開放防止装置２が用いられない際には、障子１の閉鎖状態においてシール部材１９に障子１の横外方突出片部７が当接するようになっている。
【００２９】
合成樹脂製の一体成形品からなる開放防止装置２は、竪枠４の横内方突出片部３を横方向Ａ及びＢに摺動自在に受容する凹所２１を規定する二股部２２と、二股部２２に一体的に形成されていると共に、竪框４の横外方突出片部７を横方向Ａ及びＢに摺動自在に受容する凹所２３を二股部２２と協働して規定する前方突出部２４と、二股部２２に一体的に形成された操作用の後方突出部２５と、二股部２２に一体的に形成された位置確認用突出部２６とを具備している。
【００３０】
本例の二股部２２は、横内方突出片部３と共にシール部材１９をもこれを圧縮しながら横方向Ａ及びＢに摺動自在に受容する凹所２１を規定している。位置確認用突出部２６は、開放防止装置２のＢ方向の移動において竪框８の突起２７に当接するようになっている。
【００３１】
斯かる開放防止装置２は、次のようにして、竪枠４と竪框８との間に配されて、堅框８を竪枠４に仮止めして障子１の開放状態への回動を防止するようにされ、施工現場において、竪枠４と竪框８との間から除去されて、堅框８の竪枠４への仮止めを解除して、障子１の開放状態への回動を可能にするようにされる。
【００３２】
先ず、例えば工場において、図３に示すように、準備された開放防止装置２を障子１の開放状態でＢ方向に向かって移動させて、凹所２１でシール部材１９と共に横内方突出片部３を受容し、その後、図４に示すように障子１を閉鎖状態にする。凹所２１でのシール部材１９及び横内方突出片部３の受容に際しては、シール部材１９を弾性変形させて若干扁平にさせると共に、凹所２１の底に着くまで横内方突出片部３を受容させる。なお、凹所２１の底に着くまで横内方突出片部３が受容されたことは、位置確認用突出部２６の突起２７への当接で確認できるようになっている。図４に示す状態で、凹所２１でのシール部材１９及び横内方突出片部３の受容を維持しつつ、次に後方突出部２５を把持、操作して、開放防止装置２をＡ方向に向かって移動させて、図１に示すように凹所２３でも横外方突出片部７を受容し、凹所２３での横外方突出片部７を介する障子框９への係合と、凹所２１での横内方突出片部３を介する窓枠５への係合とにより、開放防止装置２は、障子框９を窓枠５に仮止めして障子１の開放状態への回動を防止する。
【００３３】
開放防止装置２により障子１の開放状態への回動が防止された障子框９と窓枠５との組み合わせ体３１は、施工現場まで運搬されて、ここで建築物の躯体に取り付けられ、障子框９にガラス板等が嵌め込まれた後に仮止めを解除する際には、図１に示す状態で、後方突出部２５を把持、操作して、開放防止装置２を一旦Ｂ方向に向かって移動させて、図４に示すように、凹所２１でのシール部材１９及び横内方突出片部３の受容を維持する一方、凹所２３での横外方突出片部７の受容を解除して、障子１が開放状態へ回動できるようにし、そして、障子１を開放状態に回動した後に、後方突出部２５を把持、操作して、開放防止装置２を逆にＡ方向に向かって移動させて、図３に示すように、凹所２１によるシール部材１９及び横内方突出片部３の受容を解除し、開放防止装置２を横内方突出片部３から取り外す。
【００３４】
このように本例の開放防止装置２は、障子１の閉鎖状態では、凹所２１が竪枠４の横内方突出片部３を受容すると共に、凹所２３が竪框８の横外方突出片部７を受容する横方向の第一の位置と、凹所２３による竪框８の横外方突出片部７の受容が解除される一方、凹所２１による竪枠４の横内方突出片部３の受容が維持される横方向の第二の位置との間を横方向に移動できるようになっており、障子１の開放状態では、凹所２１による竪枠４の横内方突出片部３の受容を解除できて、竪枠４の横内方突出片部３から取り外せるようになっており、また、障子１の閉鎖状態で後方突出部２５を横方向、すなわちＡ及びＢ方向に移動することにより第一及び第二の位置に配することができるようになっている。
【００３５】
斯かる開放防止装置２では、障子１が閉鎖されている状態において、第一の位置では、凹所２１が竪枠４の横内方突出片部３を受容すると共に、凹所２３が竪框８の横外方突出片部７を受容するようになっているために、仮止め状態を安定に得ることができて、障子１の開放状態への回動を一時的に確実に防止でき、しかも、障子１の閉鎖状態で、第一の位置と第二の位置との間を横方向に移動できるようになっていると共に、障子１の開放状態では、凹所２１による竪枠４の横内方突出片部３の受容を解除できて、竪枠４の横内方突出片部３から取り外せるようになっているために、窓枠５と障子框９との組み合わせ体３１に対して容易に取り付け、取り外しを行い得る。
【００３６】
しかも、開放防止装置２では、二股部２２は、凹所２１でシール部材１９を圧縮しながら横方向に摺動自在に受容するために、シール部材１９の弾性により受容状態を更に確実に維持でき、仮止め状態を更に安定に得ることができる。
【００３７】
その上、開放防止装置２によれば、操作用の後方突出部２５を更に具備しているために、工場で作業者が開放防止装置２を第二の位置に取り付けて障子１を閉鎖状態にした後に、後方突出部２５を操作して第二の位置から第一の位置に移動させることにより又は施工現場で、後方突出部２５を操作して第一の位置から第二の位置に移動させることにより、工具等を用いることなしに容易に仮止め状態にできると共に仮止め状態を解除できる。
【００３８】
上記の例では障子１が外倒し窓用のものであるが、図６に示すように障子１が突出し窓用のもの、すなわち、障子１がその開放状態では下框１７並びに竪框８及び１５の下方が外側（前方である屋外側）１８に張り出すように、竪框８及び１５の上方で窓枠５に軸心６を中心としてＲ方向に回動自在に支持されている窓用のものであっても、開放防止装置２を上記と同様に用いることができる。
【００３９】
次に図７から図１１を参照して障子の開放防止装置の他の例を説明すると、図７から図１１に示す障子４１の開放防止装置４２は、下方突出片部４３を一体的に有した上枠４４を具備した窓枠４５に、窓枠４５に軸心４６を中心としてＲ方向に回動自在に支持されていると共に、障子４１の閉鎖状態（図７及び図１１に示す状態）では上枠４４の下方突出片部４３に対面し、障子４１の閉鎖方向の回動を規制する上方突出片部４７を一体的に有した上框４８を具備した障子框４９を仮止めして障子４１の開放状態への移行を防止するようになっている。
【００４０】
窓枠４５は、上枠４４に加えて、下枠５１と、左右枠５２及び５３とを具備しており、障子框４９は、上框４８に加えて、下框５５と、左右の堅框５６及び５７とを具備しており、障子框４９及び障子框４９に嵌め込まれるガラス板を有する障子４１は、その開放状態では上框４８並びに竪框５６及び５７の上方が内側（後方である屋内側）５８に倒れるように、竪框５６及び５７の下方で窓枠４５に軸心４６を中心としてＲ方向に回動自在に支持されている内倒し窓用のものである。
【００４１】
下方突出片部４３には、弾性のシール部材５９が嵌着されて取り付けられており、開放防止装置４２が用いられない際には、障子４１の閉鎖状態においてシール部材５９に上框４８の上方突出片部４７が当接するようになっている。
【００４２】
合成樹脂製の一体成形品からなる開放防止装置４２は、上枠４４の下方突出片部４３を上下方向Ｃ及びＤに摺動自在に受容する凹所６１を規定する二股部６２と、二股部６２に一体的に形成されていると共に、上框４８の上方突出片部４７を受容する凹所６３を二股部６２と協働して規定する後方突出部６４とを具備している。
【００４３】
二股部６２は、二股部２２と同様に、下方突出片部４３と共にシール部材５９をもこれを圧縮しながら上下方向Ｃ及びＤに摺動自在に受容する凹所６１を規定している。後方突出部６４は、障子４１の開放状態から閉鎖状態への回動において、上框４８の上方突出片部４７の上端６５が当接する案内面６６を有しており、案内面６６への上方突出片部４７の上端６５の当接によりＰ方向の弾性撓み変形を生じるようになっていると共に、手動によりＰ方向の弾性撓み変形を生じさせることができるようになっている。
【００４４】
斯かる開放防止装置４２は、次のようにして、上枠４４と上框４８との間に配されて、上框４８を上枠４４に仮止めして障子４１の開放状態への回動を防止するようにされ、施工現場において、上枠４４と上框４８との間から除去されて、上框４８の上枠４４への仮止めを解除して、障子４１の開放状態への回動を可能にするようにされる。
【００４５】
先ず、例えば工場において、図９に示すように、準備された開放防止装置４２を障子４１の開放状態でＣ方向に向かって移動させて、凹所６１でシール部材５９と共に下方突出片部４３を受容させる。凹所６１でのシール部材５９及び下方突出片部４３の受容に際しては、シール部材５９を弾性変形させて若干扁平にさせると共に、凹所６１の底に着くまで下方突出片部３を受容させる。その後、図１０に示すように障子４１をＲ方向（閉鎖方向）に回動させて、案内面６６に上方突出片部４７の上端６５を当接させて、後方突出部６４にＰ方向の弾性撓み変形を生じさせ、その後、図７に示すように、障子４１を閉鎖状態にして、凹所６３で上方突出片部４７を受容し、凹所６３での上方突出片部４７を介する障子４１への係合と、凹所６１での下方突出片部４３を介する窓枠４５への係合とにより、開放防止装置４２は、障子４１を窓枠４５に仮止めして障子４１の開放状態への回動を防止する。
【００４６】
開放防止装置４２により障子４１の開放状態への回動が防止された障子框４９と窓枠４５との組み合わせ体７１は、施工現場まで運搬されて、ここで建築物の躯体に取り付けられ、障子４１にガラス板等が嵌め込まれた後に仮止めを解除する際には、図７に示す状態で、後方突出部６４を把持、操作して、後方突出部６４をＰ方向に弾性撓み変形させ、図１０に示すように、障子４１の開放状態への回動と共に、凹所６３から上方突出片部４７を抜け出させ、そして、障子４１を開放状態に回動した後に、図９に示すように、開放防止装置４２をＤ方向に移動させて、凹所６１によるシール部材５９及び下方突出片部４３の受容を解除し、開放防止装置４２を下方突出片部４３から取り外す。
【００４７】
このように開放防止装置４２は、障子４１の閉鎖状態では、凹所６１が上枠４５の下方突出片部４３を受容すると共に、凹所６３が上框４８の上方突出片部４７を受容するようになっており、障子４１の開放状態では、凹所６１による上枠４５の下方突出片部４３の受容を解除できて、上枠４５の下方突出片部４３から取り外せるようになっており、後方突出部６４は、その撓み変形により凹所６３への上框４８の上方突出片部４７の受容を可能とするようになっている。
【００４８】
開放防止装置４２よっても、仮止め状態を安定に得ることができて、障子４１の開放状態への回動を一時的に確実に防止でき、しかも、後方突出部６４が、その撓み変形により凹所６３への上框４８の上方突出片部４７の受容を可能とするようになっているために、スナップフィット式に容易に障子４１を仮止め状態にもたらすことができる。
【００４９】
また開放防止装置４２では、障子４１の閉鎖前でも、シール部材５９の弾性により上枠４５の下方突出片部４３の受容状態を確実に維持できる結果、障子４１の閉鎖前において治具等を用いて下方突出片部４３に開放防止装置４２を保持する必要がなく、仮止め作業を容易に行い得る。
【００５０】
加えて開放防止装置４２によれば、案内面６６を介して凹所６３への上框４８の上方突出片部４７の受容が案内されるために、上記のスナップフィット式の障子４１の仮止め状態への移行を更に容易に行わせることができ、障子４１の閉鎖前に下方突出片部４３に開放防止装置４２を取り付けて、その後に障子４１を閉鎖させるだけで、障子４１の仮止め状態を得ることができ、工場での仮止め作業が極めて簡単となる。
【００５１】
その上、後方突出部６４の手動による撓み変形が可能であるために、現場での全ての施工作業の終了後に、後方突出部６４を手動で変形させるだけで、上框４８の上方突出片部４７を凹所６３から抜け出させることができ、而して、特別な治具等を用いることなしに、仮止めの解除を容易にできる。
【００５２】
【発明の効果】
本発明によれば、仮止め状態を安定に得ることができて、障子の開放状態への回動を一時的に確実に防止でき、しかも、窓枠と障子との組み合わせ体に対して容易に取り付け、取り外しを行い得る障子の開放防止装置を提供することができる。
【図面の簡単な説明】
【図１】本発明の実施の形態の好ましい例の平面断面図である。
【図２】図１に示す例の開放防止装置の斜視図である。
【図３】図１に示す例の動作説明図である。
【図４】図１に示す例の動作説明図である。
【図５】図１に示す例の屋内側からの全体図である。
【図６】本発明の実施の形態の好ましい他の例の屋内側からの全体図である。
【図７】本発明の実施の形態の好ましい更に他の例の平面断面図である。
【図８】図７に示す例の開放防止装置の斜視図である。
【図９】図７に示す例の動作説明図である。
【図１０】図７に示す例の動作説明図である。
【図１１】図７に示す例の屋内側からの全体図である。
【符号の説明】
１  障子
２  開放防止装置
３  横内方突出片部
４  竪枠
５  窓枠
７  横外方突出片部
８  竪框
【図１】
0004604318.tif 000002
【図２】
0004604318.tif 000003
【図３】
0004604318.tif 000004
【図４】
0004604318.tif 000005
【図５】
0004604318.tif 000006
【図６】
0004604318.tif 000007
【図７】
0004604318.tif 000008
【図８】
0004604318.tif 000009
【図９】
0004604318.tif 000010
【図１０】
0004604318.tif 000011
【図１１】
0004604318.tif 000012